(57)【要約】 【課題】足場を支持する構造体や、高架橋等の高欄に過大な構造的負荷を課すことなく、高欄の外側領域に比較的容易に足場を形成するとともに、足場設置及び足場撤去の作業を簡素化する。 【解決手段】高欄用足場装置(1)は、高欄(B)の上端部に取付けられる梯子固定枠(3)と、梯子固定枠に懸吊され、高欄の外側面に沿って垂下する梯子(2)とを有する。梯子は、昇降空間(J)を囲む保護枠(21)と、昇降空間の下部に作業床を形成する作業床形成部材(22)とを備える。保護枠及び作業床形成部材は、昇降空間を潰して梯子の昇降面に沿って延びる格納位置に変位するように、梯子の支柱に枢動可能に連結される。【選択図】図４
2015224514.tif 000002
【特許請求の範囲】
【請求項１】
高架橋又は橋梁の高欄の外側領域に配置される高欄用足場装置において、
高欄の上端部に取付けられる梯子固定枠と、
該梯子固定枠に懸吊され、高欄の外側面に沿って垂下する梯子とを有し、
該梯子は、昇降空間を囲む保護枠と、
該昇降空間の下部に作業床を形成する作業床形成部材とを備え、
該保護枠及び作業床形成部材は、昇降空間を潰して梯子の昇降面に沿って延びる格納位置に変位するように、前記梯子の支柱に枢動可能に連結されることを特徴とする高欄用足場装置。
【請求項２】
前記梯子固定枠は、前記高欄部の上端面又は上端部外面を転動し、前記高欄部の上端部に沿って前記梯子固定枠を全体的に移動させる移動手段を有することを特徴とする請求項１に記載の高欄用足場装置。
【請求項３】
前記梯子は、前記高架橋又は橋梁の外側面、或いは、前記高欄の外側面に着座して前記外側面に支承される支承部を有することを特徴とする請求項１又は２に記載の高欄用足場装置。
【請求項４】
前記梯子の鉛直荷重は、前記固定枠を介して前記高欄に支持され、前記梯子の水平荷重は、前記支承部を介して前記高架橋又は橋梁、或いは、前記高欄に支持されることを特徴とする請求項３に記載の高欄用足場装置。
【請求項５】
前記保護枠は、前記梯子に間隔を隔てて配置された複数の枠体と、該枠体に枢着した複数の縦杆とによって形成され、前記枠体及び縦管は、最上位に位置する前記枠体に連動して前記格納位置に変位することを特徴とする請求項１乃至４のいずれか１項に記載の高欄用足場装置。
【請求項６】
前記梯子固定枠は、前記高欄の上端部を該固定枠によって挟持するように該高欄の上端部に強圧される緊締具を有することを特徴とする請求項１乃至５のいずれか１項に記載の高欄用足場装置。
【請求項７】
前記梯子固定枠に立設され、前記高欄の上方域に延びる枠体を更に有し、該枠体は、前記高欄の上方域に手摺を形成し、或いは、墜落阻止器具又は緊張具を係留する係留部を形成することを特徴とする請求項１乃至６のいずれか１項に記載の高欄用足場装置。
【請求項８】
前記作業床の上方で前記梯子の踏桟に着脱可能に係止し、前記昇降空間に水平に突出する補助足場を有することを特徴とする請求項１乃至７のいずれか１項に記載の高欄用足場装置。
【請求項９】
請求項１乃至８のいずれか１項に記載された高欄用足場装置を前記高欄に設置する足場設置方法において、
前記保護枠及び作業床形成部材を格納位置に変位させた偏平状態で前記梯子を移動して前記高欄の外側領域に位置決めするとともに、前記梯子の上部を前記梯子固定枠に係止して該梯子を前記梯子固定枠から垂下させ、
前記保護枠及び作業床形成部材を下方に回動させて前記昇降空間及び作業床を前記高欄の外側領域に形成することを特徴とする足場設置方法。
【請求項１０】
請求項１乃至８のいずれか１項に記載された高欄用足場装置を前記高欄から撤去する足場撤去方法において、
前記保護枠及び作業床形成部材を上方に回動させて前記格納位置に変位させて、前記梯子を偏平化した後、該梯子を引き揚げて前記高欄の内側領域に移動させることにより、前記梯子を回収することを特徴とする足場撤去方法。
【請求項１１】
請求項２に記載された高欄用足場装置を移設する足場移設方法において、
前記移動手段によって前記梯子固定枠を移動させ、前記高欄の外側面に沿って前記梯子を横移動させることを特徴とする足場移設方法。
【発明の詳細な説明】
【技術分野】
【０００１】
本発明は、高欄用足場装置に関するものであり、より詳細には、橋梁又は高架橋等の高欄に配置される高欄用足場装置に関するものである。
【背景技術】
【０００２】
鉄道等の高架橋又は橋梁に設けられる高欄は、長年に亘って風雨等の外界環境に曝され、コンクリートや金属の経年劣化、腐食等が生じる。このため、高欄を定期的に点検し、適切な時期に補修等を行うことが望ましいが、高欄の外側面は、地上等から足場を設置し難い高所に位置するので、容易に定期点検又は定期補修等を実施することができない。また、過去の高度経済成長期に建設されたコンクリート構造の高架橋等の老朽化が近年において注目される至った事情もあり、既存の高架橋等の高欄に容易に設置可能な高欄用足場装置を開発すべき必要性が近年殊に認識されている。
【０００３】
この種の足場装置として、特開2012-41723号公報（特許文献１）には、高架橋等の高欄の外側領域に配置される高架橋用の足場装置が記載されている。この足場装置は、レールを高欄に固定し、籠形（又はゴンドラ形）のフレームをレールによって移動可能に支持する構造を有する。籠形フレームは、レールに沿って移動できるので、フレーム内の作業員等は、フレームの可動範囲内に位置する高欄の外側面を点検し又は補修することができる。
【先行技術文献】
【特許文献】
【０００４】
【特許文献１】特開2012-41723号公報
【発明の概要】
【発明が解決しようとする課題】
【０００５】
しかしながら、上記構成の足場装置は、レールの支持部材を片持ち梁式に高欄部分に固定して高欄の外側に突出させ、レールによって籠形フレームを移動可能に懸吊する比較的複雑な構造を有するので、比較的困難な足場設置作業及び足場撤去作業が必要とされる。
【０００６】
また、レール及び籠形フレームが高欄の外側面から比較的大きく外方に離間した位置に配置されるので、比較的大きな曲げ荷重がレールの支持部材や、高欄と支持部材との連結部に作用する。このため、比較的高剛性且つ高重量の構造部材をレールの支持部材として使用せざるを得ず、しかも、比較的大きな曲げ応力等が高架橋等の高欄に作用するので、過大な構造的負荷が高欄に課せられる傾向がある。
【０００７】
更に、高欄の外側領域に配置された籠形フレームには、外界環境の風圧等が直に作用するので、籠形フレームに過大な揺動、振動等が発生するのを強風時等においても確実に防止することは、極めて困難である。
【０００８】
また、籠形フレームは、高欄部分に沿って移動するが、籠形フレームの可動範囲は、レールの長さ範囲に限定されるので、籠形フレームの可動範囲を拡大するには、レールの全長を延長する必要が生じる。しかし、現実には、各種支柱や、照明設備、電気配管等が高欄と関連して配置されるので、レールの全長を所望の如く延長することは困難である。仮にレールの全長を延長し得たとしても、全長の増大に伴ってレールの自重が増大するので、レールの設置作業等が更に困難になるとともに、レールを支持する構造体の強度や、高欄に作用する曲げ応力等をも考慮すると、レールの延長には、限界がある。
【０００９】
本発明は、このような課題に鑑みてなされたものであり、その目的とするところは、足場を支持する構造体や、高架橋等の高欄に過大な構造的負荷を課すことなく、高欄の外側領域に比較的容易に足場を形成することができ、しかも、足場設置及び足場撤去の作業を簡素化することができる高欄用足場装置を提供することにある。
【課題を解決するための手段】
【００１０】
上記目的を達成すべく、本発明は、高架橋又は橋梁の高欄の外側領域に配置される高欄用足場装置において、
高欄の上端部に取付けられる梯子固定枠と、
該梯子固定枠に懸吊され、高欄の外側面に沿って垂下する梯子とを有し、
該梯子は、昇降空間を囲む保護枠と、
該昇降空間の下部に作業床を形成する作業床形成部材とを備え、
該保護枠及び作業床形成部材は、昇降空間を潰して梯子の昇降面に沿って延びる格納位置に変位するように、前記梯子の支柱に枢動可能に連結されることを特徴とする高欄用足場装置を提供する。
【００１１】
本発明の上記構成によれば、高欄の外側面に沿って垂下する保護枠付き梯子と、梯子の昇降面から外側に突出する作業床形成部材とによって高欄の外側領域に足場を形成することができるので、足場を支持する構造体や、高架橋等の高欄に過大な構造的負荷を課すことなく、高欄の外側領域に足場を形成することができる。また、保護枠及び作業床形成部材を回動させて昇降空間を潰した状態では、梯子が全体的に偏平化する。足場の設置作業においては、このよう偏平化した梯子を高欄の外側面に配置し、高欄の外側領域において保護枠及び作業床形成部材を回動させて昇降空間を形成し且つ作業床を形成すれば良いので、足場の設置作業が極めて簡素化し且つ迅速化する。また、足場の撤去作業においては、高欄の外側領域において保護枠及び作業床形成部材を回動させて昇降空間を潰し且つ作業床をなくし、全体的に偏平化した状態の梯子を高欄の内側領域に回収すれば良いので、足場の撤去作業も又、極めて簡素化し且つ迅速化する。
【００１２】
好ましくは、上記梯子固定枠は、高欄部の上端面又は上端部外面を転動し、高欄部の上端部に沿って梯子固定枠を全体的に移動させる移動手段を有する。このような移動手段を備えた本発明の足場装置によれば、高欄の外側面に沿って足場を横移動させることができるので、足場の移設作業が極めて簡素化する。
【００１３】
更に好ましくは、上記梯子は、高架橋又は橋梁の外側面、或いは、高欄の外側面に着座して、これらの外側面に支承される支承部を有し、梯子の鉛直荷重は、固定枠を介して高欄に支持され、梯子の水平荷重は、支承部を介して高架橋又は橋梁、或いは、高欄に支持される。
【００１４】
好適には、上記保護枠は、梯子に間隔を隔てて配置された複数の枠体と、該枠体に枢着した複数の縦杆とによって形成され、枠体及び縦管は、最上位に位置する枠体に連動して格納位置に変位する。好ましくは、梯子固定枠は、高欄の上端部を梯子固定枠によって挟持するように高欄の上端部に強圧される緊締具を有する。更に好ましくは、高欄の上方域に延びる枠体が、梯子固定枠に立設される。枠体は、高欄の上方域に手摺を形成し、或いは、安全ブロック等の墜落阻止器具や、チェーン、ロープ等の緊張具又は緊締部材を係留するための係留部を形成する。
【００１５】
本発明は又、上記構成の足場装置において、上記昇降空間に水平に突出する補助足場を上記作業床の上方で上記梯子の踏桟に着脱可能に係止した構成を有する高欄用足場装置を提供する。
【００１６】
このような足場装置によれば、梯子の高さ範囲内において任意の高さ位置に作業床を形成することができる。
【００１７】
他の観点より、本発明は、上記構成の高欄用足場装置を前記高欄に設置する足場設置方法において、
前記保護枠及び作業床形成部材を格納位置に変位させた偏平状態で前記梯子を移動して前記高欄の外側領域に位置決めするとともに、前記梯子の上部を前記梯子固定枠に係止して該梯子を前記梯子固定枠から垂下させ、
前記保護枠及び作業床形成部材を下方に回動させて前記昇降空間及び作業床を前記高欄の外側領域に形成することを特徴とする足場設置方法を提供する。
【００１８】
本発明は又、上記構成の高欄用足場装置を前記高欄から撤去する足場撤去方法において、
保護枠及び作業床形成部材を上方に回動させて前記格納位置に変位させて、前記梯子を偏平化した後、該梯子を引き揚げて前記高欄の内側領域に移動させることにより、前記梯子を回収することを特徴とする足場撤去方法を提供する。
【００１９】
本発明は更に、上記移動手段を備えた高欄用足場装置を移設する足場移設方法において、
前記移動手段によって前記梯子固定枠を移動させ、前記高欄の外側面に沿って前記梯子を横移動させることを特徴とする足場移設方法を提供する。
【発明の効果】
【００２０】
本発明の高欄用足場装置によれば、足場を支持する構造体や、高架橋等の高欄に過大な構造的負荷を課すことなく、高欄の外側領域に比較的容易に足場を形成することができ、しかも、足場設置及び足場撤去の作業を簡素化することができる。
【００２１】
また、本発明の足場設置方法、足場撤去方法又は足場移設方法によれば、高欄用足場装置の設置、撤去又は移設作業を簡素化し且つ迅速化することができる。
【図面の簡単な説明】
【００２２】
【図１】図１は、本発明に係る高欄用足場装置の典型的な使用形態を示す斜視図である。
【図２】図２は、本発明に係る高欄用足場装置の設置時又は回収時に梯子部分を偏平化した状態を示す斜視図である。
【図３】図３は、図１及び図２に示す高欄用足場装置の構造を示す分解斜視図である。
【図４】図４は、高欄用足場装置の構造を示す側面図である。
【図５】図５は、高欄用足場装置の構造を示す正面図及び部分拡大図である。
【図６】図６（Ａ）は、保護枠付き梯子を偏平化した状態を示す足場装置１の側面図であり、図６（Ｂ）は、図４のI−Ｉ線における保護枠付き梯子の断面図である。
【図７】図７は、補助足場の構成を示す平面図、側面図及び正面図である。
【図８】図８は、高欄用足場装置の設置作業の過程を概略的に示す高架橋の部分縦断面図及び部分横断面図であり、梯子固定枠を高欄に取付ける工程が示されている。
【図９】図９は、高欄用足場装置の設置作業の過程を概略的に示す高架橋の部分縦断面図及び部分横断面図であり、作業台を歩行通路に配置する工程が示されている。
【図１０】図１０は、高欄用足場装置の設置作業の過程を概略的に示す高架橋の部分縦断面図及び部分横断面図であり、偏平化した保護枠付き梯子を歩行通路上で運搬する工程が示されている。
【図１１】図１１は、高欄用足場装置の設置作業の過程を概略的に示す高架橋の部分縦断面図及び部分横断面図であり、偏平化した保護枠付き梯子を高欄の上側に持ち上げて高欄の外側領域に移動させる工程が示されている。
【図１２】図１２は、高欄用足場装置の設置作業の過程を概略的に示す高架橋の部分縦断面図及び部分横断面図であり、保護枠付き梯子を高欄の外側面に位置決めする工程が示されている。
【図１３】図１３は、高欄用足場装置の設置作業の過程を概略的に示す高架橋の部分縦断面図及び部分横断面図であり、高欄の外側領域で保護枠を拡開する工程が示されている。
【図１４】図１４は、高欄用足場装置の設置作業の過程を概略的に示す高架橋の部分縦断面図及び部分横断面図であり、安全ブロック支柱を梯子固定枠上に取付ける工程が示されている。
【図１５】図１５は、高欄用足場装置の設置作業の過程を概略的に示す高架橋の部分縦断面図及び部分横断面図であり、昇降用梯子を梯子固定枠に係止して高欄に立て掛ける工程が示されている。
【図１６】図１６は、高欄用足場装置の設置作業の過程を概略的に示す高架橋の部分縦断面図及び部分横断面図であり、補助足場を保護枠内の昇降空間に降下させる工程が示されている。
【図１７】図１７は、高欄用足場装置の設置作業の過程を概略的に示す高架橋の部分縦断面図及び部分横断面図であり、補助足場を梯子の踏桟に係止した状態が示されている。
【図１８】図１８は、高欄用足場装置の撤去作業の過程を概略的に示す高架橋の部分縦断面図及び部分横断面図であり、偏平化した保護枠付き梯子を高欄の上側に持ち上げて高欄の内側領域に回収する工程が示されている。
【図１９】図１９は、高欄用足場装置の他の実施形態を示す部分側面図である。
【図２０】図２０は、高欄用足場装置の更に他の実施形態を示す部分側面図である。
【発明を実施するための形態】
【００２３】
以下、添付図面を参照して、本発明の好適な実施形態について詳細に説明する。 
【００２４】
図１は、本発明の好適な実施形態に係る高欄用足場装置の典型的な使用形態を示す斜視図であり、図２は、高欄用足場装置の設置時又は回収時に梯子部分を偏平化した状態を示す斜視図である。なお、図１（Ａ）及び図２（Ａ）は、高架橋の内側領域を視点として描写した斜視図であり、図１（Ｂ）、図１（Ｃ）及び図２（Ｂ）は、高架橋の外側領域を視点として描写した斜視図である。
【００２５】
図１には、鉄道高架橋等の高架橋Ａの側部帯域が部分的に示されており、高架橋Ａは、鉄筋コンクリート構造等の床版Ｃと、床版Ｃの側縁部に配置された高欄Ｂとを有する。高欄Ｂは、プレキャストコンクリート版や、鉄骨構造物等の部材又は組立体によって形成され、高架橋Ａの側部帯域に沿って延在する。フェンスＤが高欄Ｂの内側に配置され、点検作業等の維持管理のための歩行通路ＥがフェンスＤ及び高欄Ｂの間に区画される。
【００２６】
図１に示す如く、高欄用足場装置１（以下、「足場装置１」という。）は、高架橋Ａの高欄Ｂの外側領域βに配置される。足場装置１は、保護枠付き梯子２（以下、「梯子２」という。）、梯子固定枠３、安全ブロック支柱４、昇降用梯子５及び補助足場６から構成される。梯子固定枠３は、高欄Ｂの上端部に一体的に取付けられ、梯子２は、梯子固定枠３に懸吊され、高欄Ｂの外側領域βに配置される。安全ブロック支柱４は、対をなして梯子固定枠３上に立設され、昇降用梯子５は、高欄Ｂの内側に立て掛けられる。なお、後述する如く、高欄Ｂと直交する方向に延びる手摺を梯子固定枠３上に配置しても良い（図１９）。また、高欄Ｂの上部外面を転動面とした車輪又はローラ等を有する走行手段を梯子固定枠３に配設し、高欄Ｂの上端部を走行するように梯子固定枠３を構成することも可能である（図２０）。
【００２７】
歩行通路Ｅの作業員等は、昇降用梯子５を昇って梯子固定枠３の上面に載り、図１（Ｂ）及び図１（Ｃ）に示すように梯子２を降り、高欄Ｂの外側面の点検・補修作業等を行うことができる。図１（Ｂ）には、梯子２の中間レベルに設置された補助足場６に載って点検・補修作業等を遂行する作業員の状態が示されており、図１（Ｃ）には、作業者が作業床形成部材２２上で点検・補修作業等を遂行する状態が示されている。使用において、一般に安全ブロックと呼ばれるリトラクタ式墜落阻止器具９のロープ部分が安全ブロック支柱４に係留される。作業者は、器具９の安全フックを安全帯に係留し、梯子２を昇降することができる。
【００２８】
足場装置１の設置作業及び撤去作業は、歩行通路Ｅの作業員によって実施されるが、梯子２は、迅速且つ簡易な梯子降下作業及び梯子回収作業を可能にすべく、図２に示す如く偏平化することができる。梯子降下作業及び梯子回収作業の具体的な作業形態については、図８〜１７に示されている。梯子２の設置及び回収作業の過程については、後述する。
【００２９】
図３〜図５は、足場装置１の構造を示す分解斜視図、側面図、正面図及び部分拡大図である。また、図６（Ａ）は、梯子２を偏平化した状態を示す足場装置１の側面図であり、図６（Ｂ）は、図４のI−Ｉ線における梯子２の断面図である。
【００３０】
図３に示す如く、足場装置１は、梯子２、梯子固定枠３、安全ブロック支柱４、昇降用梯子５及び補助足場６に分解することができる。これらの足場構成要素２〜６は夫々、中空の金属成形部材（アルミニウム合金成形材等の比較的軽量な金属成形部材）等を組付け又は組立てた構成を有し、少数の作業員等が手作業で移動し得るように軽量化されている。
【００３１】
梯子２は、昇降用の梯子本体２０と、折り畳み式の保護枠２１と、梯子２の下端部に配置された作業床形成部材２２と、高架橋の外側面に当接する支承部２３とを備える。梯子本体２０は、左右の支柱２４と、支柱２４の間に水平に延びる踏桟２５と、支柱２４を梯子固定枠３に係止するためのフック部２６とから構成される。フック部２６は、支柱２４の上端部分に固定され、支柱２４から高欄Ｂの側に突出する。
【００３２】
保護枠２１は、昇降空間を囲繞する水平な枠体２１ａと、上下方向に延びる縦杆２１ｂとから構成される。枠体２１ａは、上下方向に間隔を隔てて配置され、縦杆２１ｂは、枠体２１ａに沿って間隔を隔てて配置される。枠体２１ａは、踏桟２５と平行な軸線を中心に枠体２１ａを回動させる左右一対の枢着部２１ｃによって左右の支柱２４に枢着される。縦杆２１ｂは、枢着部２１ｃの枢動軸線と平行な軸線を中心に回動可能に枠体２１ａに枢着される。
【００３３】
作業床形成部材２２は、左右一対の枢着部２２ｃによって床板２２ａを左右の支柱２４に枢着した構成を有する。枢着部２２ｃは、踏桟２５と平行な軸線を中心に床板２２ａを回動させる。図４に示す如く、床板２２ａの外周部には、床面に置かれた物品等の落下を防止するための巾木２２ｂが取付けられるとともに、保護枠２１の縦杆２１ｂが枢着される。縦杆２１ｂは、床板２２ａに対し、枢着部２１ｃの枢動軸線と平行な軸線を中心に回動する。
【００３４】
図４に矢印θで示す如く、枢着部２１ｃ、２２ｃの枢動軸線を中心に枠体２１ａ及び床板２２ａを上方に枢動させることにより、図６（Ａ）に示す格納位置に枠体２１ａ及び床板２２ａを変位させ、これにより、保護枠２１を潰し又は縮小し、全体的に偏平化することができる。逆に、図６（Ａ）に矢印θ'で示すように枢着部２１ｃ、２２ｃの枢動軸線を中心に枠体２１ａ及び床板２２ａを下方に枢動させることにより、保護枠２１を拡げ又は膨張させて拡開位置（図４）に変位させ、これにより、昇降通路Ｊを保護枠２１内に形成することができる。なお、枠体２１ａ及び床板２２ａに枢着した縦杆２１ｂは、このような枠体２１ａ及び床板２２ａの枢動に追随して変位するとともに、枠体２１ａ及び床板２２ａを連動させる。また、矢印θ方向の枠体２１ａ及び床板２２ａの枢動は、枠体２１ａ及び床板２２ａが支柱２４に衝合することによって制限され、矢印θ'方向の枠体２１ａ及び床板２２ａの枢動は、枢着部２１ｃ、２２ｃのストッパ２１ｄ、２２ｄによって制限されるので、枠体２１ａ及び床板２２ａの枢動範囲は、約９０°の角度範囲内に制限される。
【００３５】
保護枠２１は、このような偏平化作業又は拡開作業の作業性の向上等を考慮し、支柱２４の頂部と最上位の枠体２１ａとを連結する金属製チェーン２９を有する。金属製チェーン２９の一端に取付けられたリング部分が、支柱２４の頂部に配置されたリング２９ｃに係留され、金属製チェーン２９の他端に取付けられたリング部が、最上位の枠体２１ａに配置されたリング２９ａに係留される。金属製チェーン２９を内側領域αの側に引っ張って最上位の枠体２１ａを上方に回動させると、縦杆２１ｂに枢着した全枠体２１ａ及び床板２２ａも又、これに連動して上方に回動し、これにより、梯子２は、折り畳み状態（偏平状態）に変形する。金属製チェーン２９の中間部に配置された仮収納用フック２９ｂを支柱２４のリング２９ｃに係留することにより、梯子２を概ね偏平状態に保持することができる。
【００３６】
保護枠２１内に画成された昇降空間（作業領域）Ｊには、梯子２の中間レベルに作業床を形成するための補助足場６を設置することができる。図７は、補助足場６の構成を示す平面図、側面図及び正面図である。
【００３７】
補助足場６は、踏台６１と、梯子２の踏桟２５に係留可能な金属製チェーン６２と、踏桟２５の中空部に挿入される支持杆６３とから構成される。踏台６１は、踏桟２５に係止可能な係止部６４を備える。係止部６４は、その凹所部分に踏桟２５を受入れた状態で踏桟２５に係止するとともに、踏桟２５からの脱落をトグルピン６５によって防止するように構成される。金属製チェーン６２は、踏桟２５の中空部から突出する支持杆６３の端部に係止される。図４には、補助足場６によって中間作業床を形成した状態が示されている。補助足場６は、作業の必要性に応じて、梯子２に適宜取付け、或いは、梯子２から適宜撤去することができる。また、図７（Ｄ）に示す如く、踏桟２５を中心に踏台６１を上方に回動させ、踏台６１を上下の踏桟２５の間の領域に適宜格納しても良い。補助足場６は、このような状態で踏桟２５に衝合又は当接するストッパ６６を備える。図７（Ａ）に示すように、踏台６１は、切欠き部６９を有する。図７（Ｄ）に示す格納位置に踏台６１を回動させたとき、切欠部６９は、作業者が踏桟２５に足を掛けるための開放領域を踏桟２５の上側に形成する。
【００３８】
図３に示すように、梯子固定枠３は、左右一対の枠体３１と、各枠体３１を高欄Ｂの上端部に係留するための緊締具３２と、左右の枠体３１を相互連結するフック支受杆３３、３４と、左右の枠体３１を一体的に相互連結する連結部材３５とから構成される。枠体３１は、下面が開放した門形又は逆コの字形の全体形状を有する金属部材の組立体からなり、枠体３１の下面開放領域は、図４に示すように高欄Ｂの上端部を受入れる。高欄Ｂの外側領域βに位置する枠体３１の垂下部３１ａは、高欄Ｂの外側面に当接する当接部３６を備える。他方、高欄Ｂの内側領域αに位置する枠体３１の垂下部３１ｂには、上記緊締具３２が配置される。緊締具３２は、垂下部３１ｂに固定されたナットに螺合した螺子部を有するハンドル付きアジャスタからなり、ナットを貫通して延びる螺子部は、高欄Ｂの内側面に着座する拡径部を先端に備える。使用において、緊締具３２は、垂下部３１ｂに対して締付けられ、高欄Ｂの上端部は、緊締具３２及び当接部３６によって挟圧される。これにより、枠体３１は、図４に示す如く高欄Ｂに固定される。
【００３９】
図４に示す如く、梯子２のフック部２６がフック支受杆３３に係止される。フック部２６は、フック本体がフック支受杆３３から脱落するのを防止するためのトグルピン２６ａを有する。フック部２６のフックをフック支受杆３３に係止した後、トグルピン２６ａによってフックの開放域を閉鎖することにより、フック部２６がフック支受杆３３から浮き上がるのを阻止し、これにより、フック部２６がフック支受杆３３から脱落するのを確実に防止することができる。
【００４０】
梯子２は、フック部２６をフック支受杆３３に係止することによって高欄Ｂの外側領域βに懸吊され、梯子２の支承部２３は、梯子２の自重によって床版Ｃ（又は高欄Ｂ）の外側面に当接する。支承部２３は、支柱２４から高欄Ｂの側に一体的に突出する支承枠２３ｂと、支柱２４及び支承枠２３ｂから高欄Ｂの側に一体的に突出する当接部２３ａとを有する。梯子２の鉛直荷重Ｗ（図４）は、高欄Ｂの上部に作用する鉛直反力ＲＶによって支持され、梯子２の曲げ荷重は、高欄Ｂの外部に作用する水平反力ＲＨによって支持される。
【００４１】
図３及び図４に示す如く、安全ブロック支柱４は、左右一対の支柱組立体４０の上端部を着脱可能な連繋杆４３によって相互連結した構造を有する。各々の支柱組立体４０は、梯子固定枠３の上面に垂直に立設される鉛直支柱４１を水平連結部材４２によって相互連結した一体的な枠体からなる。支柱組立体４０は、梯子２の昇降面の両側において梯子固定枠３に立設され、高欄Ｂの上方域に延びており、高欄Ｂの上方域に手摺を形成する。支柱組立体４０は又、リトラクタ式墜落阻止器具９のロープ部分や、各種ロープ、金属チェーン等の緊張具を必要に応じて係留可能な係留部４５を備える。なお、一方の支柱組立体４０を省略するとともに連繋杆４３を省略し、片側の支柱組立体４０のみを梯子固定枠３上に立設しても良い。
【００４２】
図５（Ｂ）に示す如く、鉛直支柱４１の下端部には、位置決め用のブラケット９１が取付けられ、ブラケット９１は、位置決めピン９２を備える。枠体３１の上部横架材を構成する水平角材３８には、位置決め孔３８ａが穿設されており、位置決めピン９２は、位置決め孔３８ａに挿入され、ブラケット９１は、水平角材３８の上面に着座する。図５（Ｂ）に示す如く、ボルト・ナット組立体９０が水平角材３８のボルト孔と、水平角材３８内の水平スリーブ３９とを貫通しており、ボルト・ナット組立体９０のナット９０ａがボルト９０ｂの螺子部に締め付けられ、鉛直支柱４１のブラケット部分４９が、上部水平角材３８に固定される。ボルト・ナット組立体９０のボルトは、比較的小径の軸部と、比較的大径の先端螺子部とを有し、先端螺子部は、ボルトヘッド側に形成された水平角材３８のボルト孔を通過しない直径を有する。また、ナット９０ａは、溶接等によりブラケット部分４９に予め固着している。このため、ナット９０ａ及びボルト９０ｂの意図せぬ落下等を確実に防止することができる。
【００４３】
図３に示す如く、昇降用梯子５は、左右一対の支柱５１と、支柱５１の間に水平に延びる踏桟５２と、各支柱５１の下端部に取付けられた伸縮式の脚部５３とから構成される。各支柱５１の頂部に配設されたフック部５４が、梯子固定枠３のフック支受杆３４に係止され、図４に示す如く、昇降用梯子５が歩行通路Ｅにおいて高欄Ｂに立て掛けられる。
【００４４】
図１及び図４に示す如く、梯子固定枠３を高欄Ｂの上端部に固定し、安全ブロック支柱４を梯子固定枠３上に立設し、梯子２を梯子固定枠３によって高欄Ｂの外側領域βに懸吊し、昇降用梯子５を高欄Ｂの内側領域αに立て掛けることにより、足場装置１を高欄Ｂに設置することができる。
【００４５】
図８〜１７は、梯子２の設置及び回収作業の過程を概略的に示す高架橋Ａの断面図及び部分正面図である。
【００４６】
先ず、図８に示す如く、介錯ロープ（図示せず）を係留するための単管パイプＫが高欄Ｂに取付けられ、梯子固定枠３を高欄Ｂの上端部に固定される。単管パイプＫは、梯子固定枠３の両側に配置される。前述のとおり、梯子固定枠３は、緊締具３２（図４）を高欄Ｂに対して締付けることにより、高欄Ｂの上端部に固定される。
【００４７】
次いで、図９及び図１０に示すように作業台Ｍが歩行通路Ｅに配置され、梯子２が少数の作業員によって梯子固定枠３の近傍に運搬される。図１１（Ａ）（Ｂ）に示す如く、介錯ロープＮの一端が左右の単管パイプＫに係留され、介錯ロープＮの他端が梯子２に係留される。格納時又は遠距離輸送時の梯子２は、図６（Ａ）に示す如く偏平化した状態であり、梯子２は、偏平した状態のまま歩行通路Ｅを運搬される。なお、梯子２は、通常は、ラッシングベルト等の荷締め具で荷締めされており、梯子２は、偏平状態で移動される。
【００４８】
梯子２は、図１１（Ｃ）（Ｄ）及び図１２に示すように高欄Ｂの外側領域βに移動され、高欄Ｂの外側面に沿って垂直に配向される。このような梯子２の移動は、介錯ロープＮによって作業性及び安全性を確保した状態で遂行される。図１２に拡大して示す如く、梯子２のフック部２６が梯子固定枠３のフック支受杆３３に係止され、フック部２６の開放域がトグルピン２６ａによって閉鎖される。梯子２の鉛直荷重（自重）は、梯子固定枠３を介して高欄Ｂに伝達し、高欄Ｂによって支持される。また、梯子２の曲げ荷重（水平荷重）は、梯子２の支承部２３から高欄Ｂの外側面に伝達し、高欄Ｂ又は床版Ｃによって支持される。
【００４９】
しかる後、梯子２の荷締め具（ラッシングベルト等）が解放され、図１３に示すように梯子２が高欄Ｂの外側領域βで拡開又は膨出される。この作業は、急激な梯子２の拡開又は膨出動作を防止すべく、支柱２４の頂部と最上位の枠体２１ａとを連結する金属製チェーン２９を補助的に使用して実施される。
【００５０】
次いで、図１４及び図１５に示す如く、安全ブロック支柱４が梯子固定枠３上に立設され、昇降用梯子５が高欄Ｂの内側領域αに立て掛けられる。所望により、図１６及び図１７に示すように補助足場６が保護枠２１内の昇降空間Ｊに降下され、前述の如く梯子２に取付けられる。なお、補助足場６の降下作業は、安全ブロック支柱４の枠体に係留されたロープＱ等を用いて実施される。
【００５１】
かくして高欄Ｂの外側面に設置された足場装置１は、点検・補修等の維持管理作業に使用され、しかる後、保護枠２１を折り畳んで昇降空間Ｊを潰すことにより、図１８に示す如く偏平化され、内側領域αに回収される。更に、梯子固定枠３、安全ブロック支柱４及び昇降用梯子５を高欄Ｂから撤去することにより、足場装置１は、高欄Ｂから撤去される。
【００５２】
図１９は、高欄用足場装置の他の実施形態を示す部分側面図である。
【００５３】
図１９に示す高欄Ｂは、内側領域に水平に延びる延長部分Ｂａを有する。梯子固定枠３の枠体３１は、延長部分Ｂａに相応するように延長部分Ｂａに沿って延長される。緊締具３２は、延長部分Ｂａの端面及び下面に対して締付けられる。高欄Ｂと直交する方向に延びる手摺７が枠体３１上に立設される。手摺７は、左右一対の支柱７１と、支柱７１を架橋する手摺部材７２及び中桟７３とから構成される。
【００５４】
図２０は、高欄用足場装置の更に他の実施形態を示す部分側面図である。
【００５５】
図２０に示す足場装置１は、梯子固定枠３を高欄Ｂ上で走行させる走行装置８を移動手段として備える。走行装置８は、高欄Ｂの上端面、上部外側面及び上部内側面に転がり接触する車輪（又はローラ）８０と、車輪８０を回転可能に支持する車輪支持具８１とから構成される。車輪支持具８１は、梯子固定枠３の枠体３１に固定される。
【００５６】
車輪８０は、高欄Ｂの壁芯方向に走行するように車輪支持具８１によって支持される。梯子固定枠３は、緊締具３２（ハンドル部分のみ図示する）の締付け力を解放すると、高欄Ｂの上端部外面を転動面として走行し、高欄Ｂと平行に移動することができる。従って、高欄Ｂの特定部位を点検し又は補修した後、緊締具３２の締付け力を解放して梯子固定枠３を移動させることにより、足場装置１を全体的に横方向に移動させることができる。好ましくは、このような足場装置１の移動前に、金属製チェーン２９を引っ張ることにより保護枠２１が折り畳まれ、必要に応じて金属製チェーン２９の仮収納用フック２９ｂが支柱２４のリング２９ｃに係留され、梯子２が全体的に偏平化される。これにより、足場装置１を比較的容易に横移動させることができる。
【００５７】
以上、本発明の好適な実施例について詳細に説明したが、本発明は上記実施例に限定されるものではなく、特許請求の範囲に記載された本発明の範囲内で種々の変形又は変更が可能である。 
【００５８】
例えば、本発明の足場装置を構成する各部構造の詳細、部材の材質、寸法、断面形状等は、状況に応じて適宜設計変更することができる。
【００５９】
また、本発明の足場装置は、高欄の形状、断面、構造及び材質等に相応して適宜設計変更することができる。
【産業上の利用可能性】
【００６０】
本発明は、橋梁又は高架橋等の高欄に配置される高欄用足場装置に適用される。本発明の足場装置によれば、足場を支持する構造体や、高架橋等の高欄に過大な構造的負荷を課すことなく、高欄の外側領域に比較的容易に足場を形成することができ、しかも、足場設置及び足場撤去の作業を簡素化することができるので、その実用的効果は、顕著である。
【符号の説明】
【００６１】
１  高欄用足場装置
２  保護枠付き梯子
３  梯子固定枠
４  安全ブロック支柱
５  昇降用梯子
６  補助足場
７  手摺
８  走行装置（移動手段）
２１  保護枠
２１ｃ、２２ｃ  枢着部
２２  作業床形成部材
Ａ  高架橋
Ｂ  高欄
Ｃ  床版
Ｊ  昇降空間
α  内側領域
β  外側領域
【図１】
2015224514.tif 000003
【図２】
2015224514.tif 000004
【図３】
2015224514.tif 000005
【図４】
2015224514.tif 000006
【図５】
2015224514.tif 000007
【図６】
2015224514.tif 000008
【図７】
2015224514.tif 000009
【図８】
2015224514.tif 000010
【図９】
2015224514.tif 000011
【図１０】
2015224514.tif 000012
【図１１】
2015224514.tif 000013
【図１２】
2015224514.tif 000014
【図１３】
2015224514.tif 000015
【図１４】
2015224514.tif 000016
【図１５】
2015224514.tif 000017
【図１６】
2015224514.tif 000018
【図１７】
2015224514.tif 000019
【図１８】
2015224514.tif 000020
【図１９】
2015224514.tif 000021
【図２０】
2015224514.tif 000022